(57)【要約】      （修正有）【課題】製造工程がシンプルでありながら、光の拡散方向を増大し、しかも目視に際し、柔らかい印象を与える反射光の実現を可能とするような円柱状発光ロッドの構成を提供する。【解決手段】円筒状の外側被覆層を形成しているクラッド２の内壁に接した一部領域に、長手方向の一方端からの入射光に対する光反射層３を設けるか、又は前記円筒状の長手方向中心位置に円柱状の光反射層３を備えている円柱状発光ロッド１の前記円筒状の外周被覆層において、長手方向と直交する断面方向に沿って、二等辺三角形を単位とする規則的な凹凸形状４を設定し、当該円周の中心位置を基準とした場合の前記二等辺三角形の１個当たりの角度範囲を２°〜２０°の範囲とし、各二等辺三角形の底辺に対する隆起角度を２０°〜６０°の範囲とする。【選択図】図１
0003182998.tif 000002
【実用新案登録請求の範囲】
【請求項１】
円筒状の外側被覆層を形成しているクラッドの内壁に接している一部領域に、長手方向の一方端からの入射光に対する光反射層を設けている円柱状発光ロッドの前記円筒状の外周被覆層において、長手方向に直交する断面方向に沿って、二等辺三角形を単位とする規則的な凹凸形状を設定し、当該円形の中心位置を基準とした場合の前記二等辺三角形の１個当たりの角度範囲を２°〜２０°の範囲とし、各二等辺三角形の底辺に対する隆起角度を２０°〜６０°の範囲とする円柱状発光ロッド。
【請求項２】
円筒状の外側被覆層を形成しているクラッドの内壁に対する中心位置に、長手方向一方端からの入射光に対する円柱状の光反射層を設けている円柱状発光ロッドの前記円筒状の外周被覆層において、長手方向に直交する断面方向に沿って、二等辺三角形を単位とする規則的な凹凸形状を設定し、当該円周の中心位置を基準とした場合の前記二等辺三角形の１個当たりの角度範囲を２°〜２０°の範囲とし、各二等辺三角形の底辺に対する隆起角度を２０°〜６０°の範囲とする円柱状発光ロッド。
【請求項３】
円周の中心位置を基準とした場合の二等辺三角形の１個当たりの角度範囲を２．５°〜６°とし、底辺に対する隆起角度を４０°〜６０°とすることを特徴とする請求項１，２の何れか一項に記載の円柱状発光ロッド。
【請求項４】
長手方向と直交する断面方向に沿って二等辺三角形を形成した外周の一部領域又は全領域に、入射光のカラーと異なるカラーを有する半透明の被覆層を設けたことを特徴とする請求項１，２，３の何れか一項に記載の円柱状発光ロッド。
【考案の詳細な説明】
【技術分野】
【０００１】
本考案は、円柱状発光ロッドに関するものである。
【背景技術】
【０００２】
円筒状を形成し、かつ光透過性の外側被覆層を形成しているクラッド層を有し、長手方向の一方端部からの入射光を長手方向に沿って順次反射する円柱状発光ロッドにおいては、前記外周被覆層の内壁に接している一部領域に光反射層を設けるか、又は当該円筒における中心位置に円柱状の反射層を設けている。
【０００３】
前記外壁に沿った反射層の断面は、通常、円弧＋弦による略弓型を典型例とするが、それ以外に円弧＋内側の円弧による部分的な円輪型も採用されている。
尚、出願人は上記部分的な円輪型の断面形状においてその角度範囲を１８０°とする構成を考案し、かつ当該考案については実用新案権が成立している（実用新案登録第３１７４５６９号）。
【０００４】
従来技術による円柱状発光ロッドにおいては、外側被覆層を形成しているクラッドの外側表面は滑らかな状態にある。
【０００５】
このような滑らかな表面の場合には、反射光の方向を特定するには、好都合である一方、広範囲の光の拡散が不十分であると共に、目視に際し、光の分散によって柔和な印象を与える反射光を形成することができない。
【０００６】
しかも、表面が滑らかであるが故に傷が生じやすく、樹脂の不均一な結晶による歪の発生が目立つこと、更には手指によって接触した場合の指紋が残存するという問題点を避けることができない。
【０００７】
特許文献１は、外周の複数個所に長手方向に沿って、棒状のレンズを複数個並列状態にて設置している構成を採用しており、当該構成の場合には、前記レンズを並列状態にて設置した領域範囲に対応して拡散した反射光を得ることが可能である。
【０００８】
しかしながら、棒状のレンズによる凹凸形状の起伏の単位は、円周の長さに比し決して微細ではないため、光の分散による柔和な印象を与えるには不十分であり、しかも棒状のレンズを内壁に複数個併設することは、製造工程が極めて複雑である。
【先行技術文献】
【特許文献】
【０００９】
【特許文献１】特開２００３−１００１０１号公報
【考案の概要】
【考案が解決しようとする課題】
【００１０】
本考案は、製造工程がシンプルでありながら、光の拡散方向を増大し、しかも目視に際し、柔和な印象を与える反射光の実現を可能とする円柱状発光ロッドの構成を提供することを課題としている。
【課題を解決するための手段】
【００１１】
前記課題を解決するため、本考案の基本構成は、
（１）円筒状の外側被覆層を形成しているクラッドの内壁に接している一部領域に、長手方向の一方端からの入射光に対する光反射層を設けている円柱状発光ロッドの前記円筒状の外周被覆層において、長手方向に直交する断面方向に沿って、二等辺三角形を単位とする規則的な凹凸形状を設定し、当該円形の中心位置を基準とした場合の前記二等辺三角形の１個当たりの角度範囲を２°〜２０°の範囲とし、各二等辺三角形の底辺に対する隆起角度を２０°〜６０°の範囲とする円柱状発光ロッド、
（２）円筒状の外側被覆層を形成しているクラッドの内壁に対する中心位置に、長手方向一方端からの入射光に対する円柱状の光反射層を設けている円柱状発光ロッドの前記円筒状の外周被覆層において、長手方向に直交する断面方向に沿って、二等辺三角形を単位とする規則的な凹凸形状を設定し、当該円周の中心位置を基準とした場合の前記二等辺三角形の１個当たりの角度範囲を２°〜２０°の範囲とし、各二等辺三角形の底辺に対する隆起角度を２０°〜６０°の範囲とする円柱状発光ロッド、
からなる。
【考案の効果】
【００１２】
前記基本構成（１）、（２）に基づき、本考案は、円筒状の外側被覆層にて長手方向に直交する断面方向に沿って二等辺三角形状を単位とする凹凸模様を設けるという簡単な製造方法でありながら、反射光の拡散の範囲を拡大するだけでなく、目視に際し柔和な印象を与える反射光を実現することができる。
【００１３】
しかも、滑らかな円柱状の表面を採用している従来技術の場合に発生しやすい状態にある表面の傷、製造段階に発生する樹脂の凝集物、更には製造歪による不均一な形状による状態を目立たなくするだけでなく、手指との接触による指紋の残存を解消することができる。
【図面の簡単な説明】
【００１４】
【図１】基本構成（１）において長手方向と直交する方向の断面図を示しており、（ａ）は断面略弓型の光反射層の場合を示し、（ｂ）は断面略部分的な円輪状の光反射層を示す。
【図２】基本構成（２）において長手方向と直交する方向の断面図を示す。
【考案を実施するための形態】
【００１５】
基本構成（１）は、図１（ａ）、（ｂ）に示すように、円筒状の外側被覆層を形成しているクラッド２の内壁に接した状態にて光反射層３を設けており、所定の角度範囲の反射光を形成することができる。
【００１６】
内壁に接した状態にある光反射層３としては、長手方向に直交する断面方向において、図１（ａ）に示すように円弧＋弦による略弓型の形状、及び図１（ｂ）に示すように円弧＋内側の円弧による部分的な円輪型が典型例として採用されているが、他の断面形状も採用可能である。
【００１７】
基本構成（２）は、図２に示すように、クラッド層の内壁に対する中心位置に円柱状の光反射層３を備えており、全周方向に反射層を形成することができる。
【００１８】
図１（ａ）、（ｂ）及び図２に示すように、基本構成（１）、（２）に基づき、本考案は円筒状の外側被覆層において、長手方向と直交する断面方向に沿ってクラッド層の外周に沿って二等辺三角形を単位とする規則的な凹凸形状４を設定している。
【００１９】
断面における円形の中心位置を基準とした場合に、前記二等辺三角形の１個当たりの角度範囲を２°〜２０°としている。
【００２０】
このような角度範囲が選択されたのは、クラッド層の内径が約２．５ｍｍ〜１５ｍｍであることを考慮するならば、２°未満の角度の場合には、滑らかな表面の形態に接近し、拡散光が得られ難い一方、及び２０°を越えた場合には、拡散光の区分単位が大きくなり、柔和な光線による印象を受けることが困難なことにある。
【００２１】
前記二等辺三角形において、底辺に対する隆起角度を２０°〜６０°の角度範囲としている。
【００２２】
このような角度範囲が選択されたのは、２０°未満の場合には、滑らかな表面の形態に接近し、拡散光が得難くなること、及び６０°を越えた場合には、拡散光の区分単位が大きくなり明瞭となって、柔和な光線による印象が得難くなること、更には手指にて接触した場合に、局所的な圧迫感が生じやすいことに由来している。
【００２３】
図１（ａ）、（ｂ）及び図２は夫々、各二等辺三角形の中心位置を基準とした場合の角度範囲につき、それぞれ２．４°及び６°の各場合を示し、底辺に対する隆起角度として何れも４５°の場合を示す。
【００２４】
このような角度範囲及び隆起角度の場合には、所定の範囲の拡散光を確保すると共に、目視に際し柔和印象による反射光を実現することができる。
【００２５】
但し、隆起角度については、４０°〜５０°であっても、前記４５°の場合と同様の作用効果を得ることができる。
【００２６】
光反射層３としては、加電によって発光し得る如何なる素材も採用することが可能であり、蛍光塗料物質、光の吸収に基づいて発光可能な発光塗料物質、発光ダイオード等の素材を採用することができる。
【００２７】
クラッド２及びコアとしては、透明性の高いポリメチルメタクリレート樹脂（ＰＭＭＡ）、ポリカーボネート樹脂（ＰＣ）、メタクリル酸メチル／スチレン共重合体樹脂（ＭＳ）、ポリスチレン樹脂（ＰＳ）が好適に採用され得るが、半透明の円柱状発光ロッド１の場合には、これらに限定される訳ではなく、ポリエチレン樹脂（ＰＥ）、ポリプロピレン樹脂（ＰＰ）、ポリアミド樹脂（ＰＡ）、ポリエステル樹脂（ＰＥＴ）等をも採用することができる。
【実施例】
【００２８】
実施例においては、長手方向と直交する断面方向に沿って二等辺三角形を形成した外周の一部領域又は全領域に、入射光のカラーと異なるカラーを有する半透明の被覆層を設けたことを特徴としている。
【００２９】
このような入射光と異なる半透明のカラーによる被覆層を外周の全領域又は一部領域に設けることによって、所定のカラーによる反射光を目視することができ、ライン上の反射による機能上の効果以外に鑑賞上の効果をも実現することが可能となる。
【産業上の利用可能性】
【００３０】
本考案は、広告及び装飾等の円柱状発光ロッドの広範な分野において利用することが可能である。
【符号の説明】
【００３１】
１  円柱状発光ロッド
２  クラッド
３  光反射層
４  二等辺三角形状の凹凸の単位
【図１】
0003182998.tif 000003
【図２】
0003182998.tif 000004